(57)【要約】  本発明は、少なくとも２つの振動モジュール（５、７、９）を含むベルト（１０）であって、少なくとも２つの振動モジュール（５、７、９）のそれぞれが、ケース（６、２６）を有するポッド（４）、ケース（６、２６）内に配置された振動パッド（２４）及びケース（６、２６）内のフライホイール（２８）を有する振動モータ（２０）を有するベルト（１０）と、少なくとも２つの振動モジュール（５、７、９）の振動モータ（２０）を操作するコントロールパネル（１５）とを備え、振動モータ（２０）は少なくとも１つの弾性モータ容器（２２）を介して振動パッド（２４）に搭載される、刺激装置を開示する。本発明は、更に、呼吸低下及び呼吸抑制を治療するためのそのような装置の使用方法、及び、ユーザの腹部にベルト（１０）を締め、ベルト（１０）を操作することにより呼吸低下及び呼吸抑制を治療する方法を含み、そこでは、少なくとも２つの振動モジュールがユーザの腹部に外側から当てられて、横隔膜を刺激し、肺の機能を増強する方法を開示する。【選択図】図２
2019518530.tif 000002
【特許請求の範囲】
【請求項１】
少なくとも２つの振動モジュール（５、７、９）を含むベルト（１０）であって、少なくとも２つの前記振動モジュール（５、７、９）のそれぞれが、ケース（６、２６）を有するポッド（４）、前記ケース（６、２６）内に配置された振動パッド（２４）及び前記ケース（６、２６）内に配置されたフライホイール（２８）を有する振動モータ（２０）を有するベルト（１０）と、
少なくとも２つの前記振動モジュール（５、７、９）の前記振動モータ（２０）を操作するコントロールパネル（１５）と
を備え、
前記振動モータ（２０）は少なくとも１つの弾性モータ容器（２２）を介して前記振動パッド（２４）に搭載される、
刺激装置。
【請求項２】
前記振動モータ（２０）のそれぞれは、前記モータ容器（２２）を介して前記振動パッド（２４）から離して配置される、
請求項１記載の刺激装置。
【請求項３】
前記モータ容器（２２）は、スナップ式の接続を介して前記振動パッド（２４）に搭載される、
請求項１又は請求項２記載の刺激装置。
【請求項４】
前記モータ容器（２２）は、前記振動モータ（２０）を保持して支持するために、前記振動モータ（２０）と補完的となるような方法で少なくとも部分的に設計されている、
請求項１乃至請求項３のいずれか１項記載の刺激装置。
【請求項５】
前記ベルト（１０）は、少なくとも１つのベルト締め付けアタッチメント（２、３）を有するストラップ（１）を備える、
請求項１乃至請求項４のいずれか１項記載の刺激装置。
【請求項６】
前記ケース（６、２６）は本体ケース（６）と背面ケース（２６）とを備え、前記振動パッド（２４）は前記背面ケース（２６）内に配置され、前記本体ケース（６）にはフロントパネル（２１）が配置されている、
請求項１乃至請求項５のいずれか１項記載の刺激装置。
【請求項７】
前記本体ケース（６）、及び／又は、前記背面ケース（２６）はストラップ（１）と前記ストラップ（１）を介して組み合わされ、前記背面ケース（２６）又は前記本体ケース（６）の他方と組み合わされるための少なくとも１つのアタッチメント手段を備える、
請求項６記載の刺激装置。
【請求項８】
前記コントロールパネル（１５）は、前記振動モータ（２０）を約０．３Ｇ〜１．０Ｇの強度及び電圧０．６〜１．３Ｖを補完する１６〜４５Ｈｚの範囲の周波数で操作する、
請求項１乃至請求項７のいずれか１項記載の刺激装置。
【請求項９】
前記コントロールパネル（１５）は、前記振動モータ（２０）を２０Ｈｚ（０．８Ｖ）の周波数のときの約０．３Ｇの強度から３７Ｈｚ（１．０Ｖ）の周波数のときの約０．６２Ｇの強度で操作する、
請求項８記載の刺激装置。
【請求項１０】
前記ベルト（１０）は柔軟であって、及び／又は、着用者の体格に合わせて調整可能である、
請求項１乃至請求項９のいずれか１項記載の刺激装置。
【請求項１１】
前記フライホイール（２８）の少なくとも１つは、直径約１２ｍｍで厚さ８ｍｍの寸法を示す、
請求項１乃至請求項１０のいずれか１項記載の刺激装置。
【請求項１２】
前記フライホイールの少なくとも１つは、７〜８グラムの重さを有し、及び／又は、前記モータ（２０）の端部から１〜５ｍｍ離れている、
請求項１乃至請求項１１のいずれか１項記載の刺激装置。
【請求項１３】
生体機能を表示し観測するディスプレイを更に備え、生体機能の表示はインターフェイスを介して統合され、及び／又は、前記インターフェイスは外部装置との情報交換を支援する、
請求項１乃至請求項１２のいずれか１項記載の刺激装置。
【請求項１４】
呼吸低下及び呼吸抑制を治療するための
請求項１乃至請求項１３のいずれか１項記載の装置の使用方法。
【請求項１５】
請求項１乃至請求項１４のいずれか１項記載の装置の前記ベルト（１０）をユーザの腹部に締め、前記ベルト（１０）を操作することにより呼吸低下及び呼吸抑制を治療する方法であって、
少なくとも２つの前記振動モジュールがユーザの腹部に外側から当てられて、横隔膜を刺激し、肺の機能を増強する、
方法。
【発明の詳細な説明】
【技術分野】
【０００１】
本発明は刺激装置、特に、横隔膜を刺激するための刺激装置、そのような装置の使用、そして、呼吸低下及び呼吸抑制を治療する方法に関する。とりわけ、本発明は、特に生体力学的筋肉刺激により肺機能を高めるために、横隔膜を刺激するための装置に関する。ベルトは少なくとも２つの振動モジュールを含み、それらは横隔膜を刺激するためにユーザの腹部に外側から適用される。
【背景技術】
【０００２】
いろいろな疾患において生体力学的筋肉刺激を用いることが患者の状態の改善につながることが知られている。生体力学的筋肉刺激の主な応用は、医療分野、スポーツ及び美容にある。特に医療分野において、特定の疾患、特に、慢性の痛み、ある種の末梢の麻痺（periphery paralysis）、動脈及び末梢の循環障害、筋肉代謝障害、筋萎縮、筋ジストロフィー及びいろいろな形態の関節炎のために生体力学的刺激を用いることにより、身体可動性の急速かつ持続的な改善を達成できることが見い出されている。
【０００３】
例えば、特許文献１は、タイプIIａの筋繊維の維持を特に促進する心筋の刺激のための装置を開示する。ここでは、当該蔵置は電気刺激パルスを発生し、送出するためのパルス発生部を備える。パルス発生部は制御部によって制御できる。当該装置の不都合な点は、それがもっぱら心筋に作用し、そのため、その使用は限定される。当該装置のハードウェアはもっぱら特定の応用に限定される。
【０００４】
更に、特許文献２は、リハビリ、再生に用いる生体力学的筋肉刺激のための複合装置を記載する。水平な踏板が振動部に固定され、そこで、踏板は好ましくは４〜５ｍｍの振幅で水平に振れる。ユーザは、ハンドル、ストラップ又はロープを用いて、望ましい体の緊張を達成する。開示された装置の不都合な点は、振動又は発振は体全体に影響し、特定の筋肉又は筋肉のグループに局所的に適用することができないことにある。更に、当該装置はとても大きく、移動中に用いることはできない。筋肉の刺激は、ユーザにより行われる自主的な取り組みによりもっぱら達成され、それはいつもできるものではない。当該装置を高齢者が用いることは困難又は不可能かもしれない。
【０００５】
特許文献３は、生体力学的刺激のための装置を開示し、マッサージ療法士はそれを用いて患者の体の特定の領域に直接振動を導入することができる。当該装置は、振動運動を生成するための機械的駆動部を有する振動生成器を備える。当該装置はとても大きく、重く、移動中に用いることはできない。加えて、それは、訓練を受けた専門家による操作を必要とする。
【０００６】
慢性肺疾患及び呼吸抑制に関する状況は、先進国、発展途上国とも驚くようなものである。例えば、米国だけでも、慢性閉塞性肺疾患（ＣＯＰＤ：Chronic Obstructive Pulmonary Disease）は、１１００万人以上が当該疾患と診断され、死亡原因の第３位である。喘息のような疾患は米国において５００万人の子供を含む１７００万人以上を侵している。肺の抑制の例には、睡眠時無呼吸、オピオイドの使用、肺炎、間質性肺疾患、睡眠時無呼吸、鬱血性心不全、そして、心配又はＰＴＳＤ（posttraumatic stress disorder：心的外傷後ストレス障害）のような心因性の要因が含まれる。全てのこれらの疾患は、副作用を伴ういろいろな効力を提供するいろいろな薬剤介入を有する。
【０００７】
ＣＯＰＤ、睡眠時無呼吸及びいろいろな原因の呼吸抑制のような病気を外部刺激によって緩和して呼吸抑制を治療する試みがなされてきたが、これらの試みはユーザにとって理想的なものでも、成功するものでも、便利なものでもなかった。
【０００８】
例えば、特許文献４は、腹式呼吸及び脇腹呼吸の機械的刺激のために、磁場効果と機械的振動とを交互に組み合せた呼吸刺激装置を開示する。当該装置は、４つの電気的に駆動されるモータと、関連する機械的な偏心器とを有するベルトで構成される。モータは膨らんだプラスチックケースに直接入れられ、当該ケースは全ての方向に振動を発生し、それゆえ、全体が振動する。このため、振動を制御することができず、いずれの方向でも振動の減衰はない。先行技術に記載された装置の不都合な点は、筋肉刺激は相当の痛みと関連付けられており、ユーザは特定の体位を維持しなくてはならない。加えて、痛みを誘発することができ、皮膚に直接触れることが必要な電気刺激が加えられる。データは有効性を示しておらず、複雑なモータ‐磁石構造のために実用的であるか疑わしい。
【０００９】
特許文献５は、管状の柔軟構造で容器に統合された、集積センサと少なくとも２つの振動発生器とを備える呼吸刺激ベルトを開示する。ベルトにおいて、振動発生器を容器に挿入することにより、振動発生器は全ての方向に振動を発生し、制御することができない。振動は６〜１２Ｈｚの周波数を有する。もしも効力があっても、それが観測される前に必要とされる周波数、強度又は時間を示すものはない。
【００１０】
特許文献６は、フライホイールが磁化され、又は、磁化要素がフライホイールに組み込まれてモータ及び磁化要素によって生成される磁場が増強される呼吸刺激ベルトを開示する。フライホイールは磁気ディスク、磁気部品又は棒磁石によって磁化され、磁気力学的な振動は、磁気波を介してそれらの効果を引き起こす。更に、磁気力学的振動部は、筋肉に刺激電流を引き起こす誘導変換素子（inductive transformation element）と組み合わされることができる。
【００１１】
特許文献７は、サイクロイド振動を用いるための電気機械的振動器とデジタル制御手段とを備えたデジタル制御された振動治療装置を開示する。デジタル制御手段は、線形時間累積度数制御（linear time integrated frequency control）及び小振幅振動を用いているが、その詳細は明らかではない。
【先行技術文献】
【特許文献】
【００１２】
【特許文献１】独国特許出願公告第１０２００４００９４５２号明細書
【特許文献２】独国特許出願公告第１０２４１３４０号明細書
【特許文献３】独国実用新案第２０１１６２７７号明細書
【特許文献４】独国実用新案第２９８１２９８６号明細書
【特許文献５】独国実用新案第２０２０１００１８１５９号明細書
【特許文献６】独国特許出願公開第１０２０１００２２６０３号明細書
【特許文献７】国際公開第０１／１９３１６号
【発明の概要】
【発明が解決しようとする課題】
【００１３】
一般に、人が年をとると、彼らの呼吸筋（特に、横隔膜筋）は弱り、肺は硬く、非弾性的になり、心肺能力は機動性と同様に減り、日々の活動を困難にし、また、睡眠の質を低下する。７５歳では肺活量は若い人よりも５０％少ない。言い換えると、人が年をとると、肺は効率的に機能しなくなり、脳、心臓及び他の臓器が最適に機能するのに不可欠である、吸い込まれる必須酸素の量が減少する。また、人が年をとると、正しい呼吸パターンが浅くて早い胸呼吸法へと劣化し、それはエネルギーを多く使い、体内のストレスを活性化し、また、人に空気又は酸素を少なく吸い込ませるという負の効果を有する。このことは、不安、睡眠不足、機動性の欠如及び抑うつのような多くの年をとった人々に見られ、広く経験される効果をもたらす。ストレスの側面は、多くのストレスや不安に苦しみ、または、睡眠問題を有するその上の年齢層にも向けられるであろう。
【００１４】
本発明は、特に、横隔膜を刺激する改善された刺激装置、そのような装置の使用方法、呼吸低下及び呼吸抑制を治療する改善された方法を提供することを目的とする。
【課題を解決するための手段】
【００１５】
本発明に係る刺激装置は、少なくとも２つの振動モジュールを含むベルトであって、少なくとも２つの振動モジュールのそれぞれが、ケースを有するポッド（pod）、ケース内に配置された振動パッド及び容器内に配置されたフライホイールを有する振動モータを有するベルトと、少なくとも２つの振動モジュールの振動モータを操作するコントロールパネルとを備え、振動モータは少なくとも１つの弾性モータ容器を介して振動パッドに搭載されるものである。
【００１６】
本発明は、更に、呼吸低下及び呼吸抑制を治療するためのそのような装置の使用方法、及び、ユーザの腹部にベルトを締め、当該ベルトを操作することにより呼吸低下及び呼吸抑制を治療する方法を含み、そこでは、少なくとも２つの振動モジュールがユーザの腹部に外側から当てられて、横隔膜を刺激し、肺の機能を増強する。
【００１７】
刺激装置の弾性モータ容器はベルト及びモータの容器に対して振動モータの弾性支持を提供し、生成された振動はユーザに主に向けられ、ユーザに影響を及ぼすエネルギーは、技術水準から知られる装置と比べてもより効率的に用いられる。弾性的な搭載／懸架により方向付けられた振動を用いて、振動パッドは振動し、衝撃は大きな自由度を有し、横隔膜により良い効果を与える。本発明に係る装置及び方法は、横隔膜を刺激することにより肺の機能を増強する。
【００１８】
本発明は、薬剤介入を回避し、呼吸能力を増強し最適化することに比較的早い結果をもたらすことにより、肺疾患及び呼吸抑制のいろいろな原因による呼吸低下及び浅い呼吸に関連する症状を緩和する。このことは、血中酸素濃度の増加、心拍数及び呼吸数の減少、生活の質の改善につながる。本発明は、簡単に使用でき、従来技術を用いるときの困難を克服し、マイナスの副作用は見られない。本発明に係る装置は従来技術よりも有効であって、すなわち、２分以内に横隔膜は活性化され、試験を受けた全員において効果が観察された。
【００１９】
本発明に係る装置及び方法は、横隔膜を刺激して肺の機能及び副交感神経系を増強してリラクゼーション効果を高め、心拍数及び呼吸数を減らし、睡眠の質、更に、痛みを改善することができる。例えば、装置のプログラムは、モータの回転数を減らして寝入るために用いられても良い。しかしながら、このことはユーザに対するプラスの効果を更に増加する。装置は、少なくとも２つの取り外し可能に組み込まれた振動モジュールを有するベルトを含み、振動モジュールはユーザと接触してユーザの横隔膜を働かせるように提供される。
【００２０】
概して、本発明に係る装置は、ポッド及び振動パッドを介して振動モジュールと人体とが接触することにより人体に生体力学的な振動を加える。本発明に係るベルトは、それぞれ振動モータを収容する少なくとも２つの振動モジュールで構成される。振動モジュールはストラップに組み込まれて、ユーザの腹部に接触して横隔膜を刺激するベルトを形成する。モータは電子回路により制御される。電子回路はコントロールパネルにより制御され、それは任意に再充電可能な電池により電力供給されても良い。コントロールパネルは、モータが動作する電圧と時間とを制御する。
【００２１】
ベルトは、昼又は夜の間、いつでもユーザにより着用されても良い。本発明に係るベルトは、横隔膜が刺激されることをユーザが望む時間だけ着用されても良いし、長時間着用されても良く、振動モータは長時間において断続的に駆動される。本発明に係るベルトは、ユーザによりどのような姿勢でも、例えば、座って、立って、仰向け姿勢で用いられても良い。ベルトは、オフィスで働き、コンピュータの前に座っている間、又は、肉体労働に従事しているときに着用され、用いられても良い。自然に機能し収縮する横隔膜の能力が増加し、朝又は夜に振動を使用した後、数時間働き続けるように、振動は横隔膜を「訓練」する。最小使用時間は、１０分、及び、３０〜６０分までである。その上、繰り返して使用することにより、横隔膜は振動を徐々に早く認識し、ベルトを使用する度に早く働き始める。
【００２２】
本発明の実施の形態において、ベルトは等距離又は異なる間隔で配置された３つの振動モジュールを備え、それは、胃の深い呼吸運動のための横隔膜の最適な刺激効果、すなわち、モータを有するポッド及び振動パッドが息を吸い込むときの「膨張」の間に最適に振動し続けることを可能にする。
【００２３】
本発明の実施の形態において、装置の振動モータのそれぞれは、モータ容器を介して振動パッドから離して配置される。このことは、容器又はケース内のモータに取り付けられるフライホイールの自由な動きを確実にする。
【００２４】
本発明の実施の形態において、装置内で、モータ容器はスナップ式の接続を介して振動パッドに搭載される。このことは、モータとモータ容器との確実な結合を提供する。代わりに、適切なアタッチメント手段、及び／又は、例えば、接着材又は機械的な結合のような追加のアタッチメント手段が用いられても良い。
【００２５】
本発明の実施の形態において、装置内で、モータ容器のそれぞれは、振動モータを保持して支持するために、振動モータと補完的となるような方法で少なくとも部分的に設計される。このことは、装置の容易な組み立てと、モータ容器内でのモータの確実な支持とを提供する。
【００２６】
本発明の実施の形態において、装置のベルトは、少なくとも１つのベルト締め付けアタッチメントを有するストラップを備える。ベルトは柔軟なものであっても良い。このことは、ユーザ、特に、ユーザの腹部に対するベルトの容易な調整を提供する。ベルト締め付けアタッチメントは、どのような適切な締め付け手段であっても良い。
【００２７】
本発明の実施の形態において、ケースは本体ケースと背面ケースとを備え、振動パッドは背面ケース内に配置され、及び／又は、本体ケースにはフロントパネルが備わっている。これにより、振動はより効率的にユーザに向けられる。特に、弾性振動パッド及び弾性モータ容器により、ケースに影響を与える振動は弱められ、振動パッドはケースに対して弾性的に支持される。
【００２８】
本発明の実施の形態において、装置の本体ケース、及び／又は、背面ケースはストラップとストラップを介して組み合わされ、背面ケース又は本体ケースの他方と組み合わされるための少なくとも１つのアタッチメント手段を備える。このことは、ケースとストラップとの間の適切で安全な接続を提供し、振動パッドが適切な位置に留まることを確実にする。
【００２９】
本発明の実施の形態において、コントロールパネルは振動モータを約０．３Ｇ〜１．０Ｇの強度及び電圧０．６〜１．３Ｖを補完する１６〜４５Ｈｚの範囲の周波数で操作する。好ましくは、コントロールパネルは振動モータを３０Ｈｚ（０．８Ｖ）の周波数のときの約０．４Ｇの強度から３７Ｈｚ（１．０Ｖ）の周波数のときの約０．６２Ｇの強度で操作する。正確な最適周波数及び最適強度も個人次第、すなわち、体重、年齢及び全般的な感受性次第である。これらの操作条件により、最適な効果が達成され、最適な効果が呼吸パターンの深く、ゆっくりとしたリズミカルな横隔膜呼吸への明らかな変化として定量化され、最適な効果が２０％以上の呼吸数の削減として定量化される。
【００３０】
本発明の実施の形態において、ベルトは柔軟であって、及び／又は、着用者の体格に合わせて調整可能である。このため、ベルトの長さは複数のユーザに容易に合わせることができ、１つのベルトは異なるユーザに合わせることができる。
【００３１】
本発明の実施の形態において、少なくとも１つのフライホイールは、直径約１２ｍｍで厚さ８ｍｍの寸法を示す。このことは効率的な振動を提供する。
【００３２】
本発明の実施の形態において、少なくとも１つのフライホイールは、７〜８グラムの重さを有し、及び／又は、モータの端部から１〜５ｍｍ離れている。このことは、装置の効率と振動衝撃の効果とをより一層改善しても良い。この重さ及び配置はいくつかのテスト結果に基づく（下で対比して欲しい）。
【００３３】
本発明の実施の形態において、装置は更に生体機能を表示し観測するためのディスプレイを備え、生体機能の表示はインターフェイスを介して統合され、及び／又は、インターフェイスは外部装置との情報交換を支援する。このことは、装置の機能性を改善することができる。
【００３４】
更なる実施の形態において、本発明は、ユーザの腹部にベルト装置を当てることにより呼吸抑制を治療する方法を提供し、ベルト装置は、ａ）ベルト締め付けアタッチメントを有するストラップ、ｂ）ストラップに組み合わされた少なくとも２つの振動モータ、ｃ）当該モータは直径１２ｍｍ、厚さ８ｍｍ、７〜８グラムのフライホイールを有し、ｄ）少なくとも２つの振動モータを操作するコントロールパネル、を備え、振動モータは０．３〜１．０Ｇの強度と、１６〜４５Ｈｚの範囲の周波数を有する。実施の形態において、少なくとも２つの振動モジュールはユーザの腹部に外側から適用されて、横隔膜を刺激し、肺の機能を増強する。
【００３５】
実施の形態において、本発明に係る装置はベルトを含み、ベルトはユーザの体格の変化に対応するように、サイズが調整可能である。ベルトは少なくとも２つの取り外し可能な振動モジュールを含み、各モジュールはコントロールパネル装置により制御される振動モータを含む。本発明に係るベルトは、ユーザの胸郭の下の腹部に接触するように設けられて、横隔膜を刺激する。
【００３６】
本発明に係る振動モータはいろいろな電圧、強度及び周波数において有効であっても良い。強度のおおよその有効範囲は、約０．３Ｇ〜約１．０Ｇ、電圧は約０．６Ｖ〜１．３Ｖである。周波数のおおよその有効範囲は、約１６Ｈｚ〜約４５Ｈｚである。
【００３７】
本発明の実施の形態において、装置は腹式呼吸及び脇腹呼吸を深くするために用いることができる。腹式呼吸は、横隔膜呼吸とも呼ばれ、通常の容易な呼吸形態である。横隔膜は主たる呼吸筋であって、胸と腹腔との間に位置する。腹式呼吸は横隔膜の収縮によって生じ、それにより胸腹腔の陰圧が大きくなる。この陰圧に続いて、肺が拡張し、空気が吸い込まれる。この呼吸技術における呼気は横隔膜の弛緩により生じ、それにより、肺自体の弾性特性により肺が収縮し、空気を押し出す。意識して、腹筋を収縮させることにより呼気は支援されることができる。
【００３８】
装置は横隔膜の活動を増強するために用いられても良い。機械的な振動のおかげで、横隔膜の筋肉は刺激され、その結果、肺のより良い拡張に寄与することができる。本発明に係る装置を用いることの更なる利点は、副交感神経系の活性化であって、それは結果として心拍数及び呼吸数を減らし、筋肉の緊張を緩めることを増進し、緊張、下部胴体の痛み、腹部の収縮を和らげ、睡眠の質を改善する。更に、本発明に係る装置を用いることは、不眠症のような睡眠障害の解決に役立つ。本発明に係る装置の他の利点は、人工呼吸器を使用することから個人を切り離すことを支援することである。
【図面の簡単な説明】
【００３９】
【図１】少なくとも２つの振動モジュールと、関連するコントロールパネルとを有し、直線状に開いた状態の調整可能なベルトの正面図を示す。
【図２】振動モジュールのポッド部品の展開図を示す。
【図３】少なくとも２つの振動モジュールと、関連するコントロールパネルとを有するベルトのユーザと接触する側の図を示す。
【図４】振動モータを示す。
【図５】コントロールパネルの正面斜視図を示す。
【図６】コントロールパネルの背面斜視図を示す。
【図７】コントロールパネルの展開図を示す。
【図８】図８（ａ）は振動モジュールの背面斜視図を示し、図８（ｂ）は図８（ａ）の振動モジュールの側断面図を示す。
【発明を実施するための形態】
【００４０】
本開示はいろいろな形で実施の形態の影響を受けるかもしれないが、図面が示し、この中で詳細に説明される実施の形態は以下のように理解される。すなわち、本説明は、本開示の原理の例示と考えられるべきであり、網羅的であること、又は、本開示を以下の明細書で説明され、図面に示された構成要素の構造及び配置の詳細に限定することが意図されたものではない。
【００４１】
概して、本発明に係る装置は、振動モータを有する各ポッドの振動パッドの接触を介して人体に機械的な振動を加えるものである。本発明は、それぞれ振動モータを収容する少なくとも２つの振動モジュールで構成される。振動モジュールはストラップと組み合わされて、ユーザの腹部と接触して横隔膜を刺激するベルトを形成する。モータは電子回路により制御される。電子回路はコントロールパネルにより制御され、それは任意に再充電可能な電池により電力供給されても良い。コントロールパネルは、モータが動作する電圧と時間とを制御する。ベルトは、昼又は夜の間、いつでもユーザにより着用されても良い。本発明に係るベルトは、横隔膜が刺激されることをユーザが望む時間だけ着用されても良いし、長時間着用されても良く、振動モータは長時間において断続的に駆動される。本発明に係るベルトは、ユーザによりどのような姿勢でも、例えば、座って、立って、仰向け姿勢で用いられても良い。ベルトは、オフィスで働き、コンピュータの前に座っている間、又は、肉体労働に従事しているときに着用されても良い。
【００４２】
図１は、３つの振動モジュールを有し、開いた状態の本発明に係る、長さが調整可能なベルト１０の正面図を示す。特に、ベルト１０は、第１振動モジュール５、第２振動モジュール７及び第３振動モジュール９を備える。各振動モジュールは、振動モータを含む、ケース６及びポッド４を備える。ベルト１０は、更に、振動モジュール５、７、９の間のストラップ１を示す。更に、コントロールパネル１５が何らかの適切な方法、例えば、締め具８を介してストラップ１に搭載される。振動モジュール５、７、９は、ベルト１０のストラップ１に等間隔で搭載される。人間に装着されたときに、この配置は、胃の深呼吸動作のための横隔膜の最適な刺激効果、すなわち、ベルト１０、すなわち、モータを有する振動モジュール５、７、９（ポッド４）の振動パッドが息を吸い込む間の「拡張」期に最適に振動し続けることを可能にする。
【００４３】
ベルト１０のストラップ１は、ライクラ（登録商標）、スパンデックスを含む何らかの材料、ネオプレン、ゴム入り生地、綿、ナイロンウェビング（nylon webbing）、ストレッチバンド（StretchBands）、シリコン、エチレンプロピレンジエンモノマー（Ｍ‐クラス）ゴム、ウレタン、クロロピレン、ハイパロン（登録商標）、天然ゴム、皮革、布、プラスチックなどを含むいろいろな適切な材料で構成されても良い。実施の形態において、ストラップ１は伸縮自在であって、ライクラ、スパンデックスを含む何らかの材料、ネオプレン、ゴム入り生地、ナイロンウェビング、ストレッチバンド、シリコン、エチレンプロピレンジエンモノマー（Ｍ‐クラス）ゴム、ウレタン、クロロピレン、ハイパロン又は天然ゴムを含むような材料でできている。しかしながら、他の実施の形態において、ストラップ１はネオプレン、ゴム入り生地及びナイロンウェビングの組み合わせでできている。ストラップ１は、各ユーザの体格に適したいろいろな長さ及び幅を有していても良い。ストラップ１は、ユーザの腹部に最も近い内側ストラップと、ユーザから離れた外側ストラップで構成されても良い。内側ストラップと外側ストラップとの間には、コントロールパネルからモータにつながる配線経路がある。あるいは、配線経路はストラップに統合されても良い。
【００４４】
ベルト１０は、ユーザの周囲を包囲するためのベルト締め付けアタッチメント２、３を更に備える。ベルト締め付けアタッチメント２、３は、着脱容易なクリップ、ありふれたバックル、アジャスターバックル、ベルトバックルなどのいろいろな既製品のバックルから選択されても良い。他の実施の形態において、ベルト取り付けアタッチメント２、３はスナップ（snap）、クリップ、ファスナー、ボタン、留め金（clasp）、クリップ、結び目、ひも、ベルクロ（登録商標）、ピン、フック、又は、当該記述分野で知られた、他のいかなる締め付け手段を備えていても良い。
【００４５】
振動モジュール５、７、９のそれぞれは、振動モータを含む取り外し可能なポッド４を有する。ポッド４は、有利には、ポッド又は振動モータの修理、交換のために取り外し可能である。実施の形態において、モータは、場所にぴったりと収まるプラスチック容器に位置し、取り外し可能なポッド４の外側ケースは全体ケース６にねじ込まれる。ポッドは更にケース６に接着されることもできる。ポッド４は、プラスチック、金属、シリコン、合成繊維などの材料の射出成形で作られても良い。ポッドの大きさは異なっても良い。小さなポッドは小さなベルトに使われても良く、大きなポッドは大きなベルトに使われても良い。実施の形態では、ポッドは、収容するモータの大きさに依存して、約６〜８ｃｍの幅、約８〜９ｃｍの長さ、約２．５〜３．５ｃｍの深さであっても良い。
【００４６】
図２に関して、ポッド４の展開図は、ポッドを覆うフロントパネル２１を示す。フロントパネル２１はＡＢＳプラスチックで作られても良く、射出成形で作られても良い。フロントパネル２１は、いかなる金属又は他の適切な材料で作られても良い。フロントパネル２１はどのような色でも良く、また、ロゴ又はデザインで刻み込まれ又はエンボス加工されても良い。ケース６は、ストラップをその位置に固定し配線を案内する小区画構造特徴（structural cabinet feature）を形成する。ベルトは、ケース６をベルトに固定するために、ケース６と組み合わせるためのスリット２３を有する。ケース６もＡＢＳプラスチックの射出成形により作られても良い。ケース６も、金属又は他のどのような適切な材料で作られても良い。ポッド４も、モータ容器２２を有する背面ケース２６も備える。モータ容器２２は振動モータ２０を受けて収容し、振動パッド２４に搭載される。モータ容器２２はモータを本体ケース６から分離する。実施の形態において、モータ容器２２は射出成形によりＡＢＳプラスチックで作られても良く、他のどのような適切な材料で作られても良い。実施の形態において、モータ容器２２のそれぞれは弾性材料、例えば、シリコンで作られる。モータ容器２２は、ポッド４が搭載され、組み立てられたときに、モータ２０を受けて保持するように、モータ２０（図４、８（ａ）、８（ｂ）を対比して欲しい）の外面と少なくとも部分的に補完的に設計される。振動パッド２４は振動をモータからユーザの体に伝えるために用いられる。振動パッド２４は、スポンジのような振動を弱める機能（damping feature）を組み込んでおり、振動モータを本体ケース６から分離する。振動パッドは、シリコン、すなわち、ＴＰＥ／ＴＰＵ、ＰＶＣ、又は、他のどのような適切な材料で作られても良い。背面ケース２６は、ストラップ１のスリット２３を介してストラップをその位置に固定し配線を案内する小区画構造を形成する。この目的のために、背面ケース２６は、背面ケース２６に対して垂直に延在してストラップ１のスリット２３と組み合わされる２つの延長部分を備える。ケース６は、前述の延長部分とその相手側として組み合わされるためにやはりケース６に対して垂直に延在して振動モジュール５、７、９又はポッド４をストラップ１上のその位置にしっかりと保持するピン又は他の適切な手段を備える。背面ケース２６はＡＢＳプラスチックの射出成形により作られても良く、金属又は他のどのような適切な材料で作られても良い。
【００４７】
図３は、ケース６の後側とポッド４のユーザ接触側とを示し、振動パッド１２、１４、１６（図２の２４）により接触がなされる。振動パッド１２、１４、１６（２４）は、弾性モータ容器２２内でモータ２０を弾性支持又は搭載することにより、プラスチックケースよりももっと集中した効率的な方法で振動効果を伝えるような長所を提供する。ケース６及び背面ケース２６に対してモータ２０を弾性的に支持することは、生成した振動のほとんどをユーザに向けることを可能にし、刺激装置の効率を増加させる。シリコン振動パッドは更にプラスチックケース構造よりも静かで、ユーザにとってより心地良い。
【００４８】
本発明で用いられる振動モータは、既製品であって、プレシジョンマイクロドライブ（Precision Microdrives）モデル３２０‐１００、ユニヴァイブ（Uni-Vibe）２０ｍｍ振動モータ‐２５ｍｍタイプと同等であっても良い。図４に概ね示されるように、いろいろなモータが用いられても良い。振動モータは、一般に、モータケース、座金、ＮｄＦｅＢネオジム永久磁石、モータシャフト、モータエンドキャップ（motor end cap）、レース軸受、偏心質量カウンタウェイト（counter weight）（フライホイール２８）を含んでも良い。本発明では、大きい又は小さいモータが用いられても良いが、重要なことは、どのような種類のモータを用いても、効果が見られるような周波数、強度又は電圧の範囲が達成されることである。大きなモータを用いると、ユーザが不快、痛み又は擦り剥けを経験するかもしれないと指摘されている。しかしながら、本発明では、同様のモータがいろいろな大きさ又は重さのフライホイールを用いて試験されたときに、性能の変化が指摘された。好ましい実施の形態では、フライホイールはモータの端部から１〜５ｍｍ離されるべきである。
【００４９】
フライホイールのサイズ／大きさ及び重さの小さな変化に関連して驚くような結果が見られ、それは有効な方法で横隔膜を刺激することについて顕著な効果を有する。更に、周波数‐強度の最適な範囲が決定され、その外側では横隔膜を刺激することの有効性が著しく減少する。そのため、周波数‐強度の関係は横隔膜の活性化を生じるためにとても重要である。横隔膜の活性化は呼吸パターンの変化として、すなわち、浅い呼吸に対するゆっくりした深い腹式呼吸として測ることができる。このことは、ゆっくりした呼吸（数／分）と更に心拍数とにより定量化することができる。フライホイールは直径１２ｍｍ、厚さ８ｍｍ、７〜８ｇであった。モータは、プレシジョンマイクロドライブ、モデル３２０‐１００である。
表：
横隔膜上の効果は下のように定量化される：
＋＋＋は深い腹式（横隔膜）呼吸の強い活性化であり、１分当たりの呼吸により測定されたときに、呼吸数はより深く、よりゆっくりであった（以前の普通の呼吸の２０％よりも大きな減少）
＋は横隔膜呼吸へのほんのわずかな効果であり、すなわち、呼吸数の１０％以下の減少
−は横隔膜活性化又は呼吸数への効果なし
【表１】
2019518530.tif 000003
プレシジョンマイクロドライブ、モデル２（３２０‐１０５スタンダード）。これは上のものとまったく同じモータと、異なるフライホイール（直径１８ｍｍ、厚さ６ｍｍ、しかし、半円だけ、すなわち、完全ではない）とを有する。
【表２】
2019518530.tif 000004
モデル３、同じモータ、わずかに異なるフライホイール（直径１０ｍｍ、厚さ３．５ｍｍ）
【表３】
2019518530.tif 000005
肺機能への効果は、２０Ｈｚで０．３Ｇ〜４５Ｈｚで１．００Ｇの範囲内で著しかった。０．８Ｖ（０．４Ｇで３０Ｈｚ）〜１．０Ｖ（０．６２Ｇで３７Ｈｚ）の範囲で最適な効果が観察された。最適な効果は、深く、ゆっくりでリズミカルな横隔膜呼吸への呼吸パターンの明らかな変化として定量化され、２０％以上の呼吸数の減少として定量化される。強度は、閉ループ制御（加速度計）及び正確なモータ速度測定装置を用いて測定された。フリースケール社のＭＭＡ７３６１、３軸加速度計が用いられ、いくつかの外部部品を用いてプリント基板（ＰＣＢ）上に搭載された。振動モータ及び加速度計は一緒に搭載された。これらは次に質量１００ｇで搭載された。この目標質量は、測定される振動強度に直接影響を与え、測定を標準化するのに役立つ。このことは、英国のプレシジョンマイクロドライブ社が説明する通りに行われた。
【００５０】
本発明に係る装置は、単一のコントロールパネルプリント板ユニット（ＰＣＢＡ）を備え、それは多くのタクトスイッチ及びＬＥＤを含む。コントロールパネルは、モータに供給される電圧を変化させることによりモータの速度を制御するために用いられても良い。コントロールパネルは、更に、モータが動作する時間を制御し、また、異なるモータ速度についての時間を制御するあらかじめプログラムされた機能を有していても良い。図１は、更に、簡易保管のために締め具８を介してストラップ１に取り外し可能に組み合されたコントロールパネル１５を示す。コントロールパネル１５は携帯装置であって、電池のような、送電網から独立した電源を用いて送電網から独立して動作することができる。一般に、コントロールパネル１５は、当該技術分野で知られた、何らかの適切なプラスチック又は金属で作られていても良い。コントロールパネル１５は、当該技術分野で知られた、何らかの手段により、ストラップ１に固定的に、又は、取り外し可能に固定されても良い。
【００５１】
図５は、フロントコントロールパネルケース４０を有するコントロールパネル１５の正面斜視図を示す。更に示されるように、配線ポート４１はコントロールパネル１５の回路基板をモータに接続する。電源制御パッド４２は、コントロールパネル１５をオン、オフする。プログラム１制御パッド４３は、電圧及び時間のあらかじめプログラムされたスケジュールを選択するためのもので、それによって振動モータは動作する。そのようなプログラムの例は下に提供される。プログラム２制御パッド４４は、電圧及び時間のあらかじめプログラムされた代わりのスケジュールを選択するためのもので、それによって振動モータは動作する。そのようなプログラムの例は下に提供される。タイミング制御パッド４５は、振動モータが動作する時間の階段状の増加を提供しても良い。タイミングボタンは、それが選択される度に、秒、分、時間などのいかなる増分でも増加又は減少するようにプログラムされても良い。タイミング強度表示器４６は、時間の増分の増加又は減少を示す発光機能である。速度制御パッド４７は、それが選択される度に電圧を増加するように選択される。電圧の増分は増加又は減少であっても良く、その強度は速度強度表示器４８に発光により示される。いろいろな制御機能が本発明のコントロールパネルに組み込まれても良い。プログラムが選択されたＬＥＤの表示、速度、タイミング、及び、他の何らかのユーザにとって有用な情報が提供されても良い。各モータに固有であっても良い、例えば、他のモータとは独立した各モータの電源をオンオフするための追加の制御ボタンが追加されても良い。他のモータとは独立した各モータの動作の速度、電圧、強度、周波数及び時間の独立制御のための他の制御及び選択ボタンが追加されても良い。いろいろな制御がコントロールパネルに組み込まれて、利便性、及び／又は、最大の健康効果に関してユーザ体験を増強しても良いことは、当業者が認識するであろう。本発明に係るボタンは当該技術分野で知られたどのような適切な材料で作られても良く、シリコン及びゴムを含んでも良い。
【００５２】
図６は、背面コントロールパネルケース５０を提供するコントロールパネル１５の背面斜視図と、コントロールパネル１５の再充電可能な電池を再充電するための充電ポート５１の図とを示す。図６はマイクロＵＳＢポートとしての充電ポート５１を示すが、当該技術分野で用いられるどのような適切な充電器及びポートが用いられても良い。図６は、更に４つのねじ５２、５３、５４、５５を示し、それによってコントロールパネルはフロントパネルから背面パネル５６まで固定される。
【００５３】
図７は、コントロールパッド４２、４３、４４、４５、４７（完全には示されていない）を受けるための貫通孔６１、６２、６３、６４、６５を有するフロントコントロールパネルケース４０を有するコントロールパネル１５の展開図である。制御パッド４２、４３、４４、４５、４７は電子回路基板７０と組み合わさって電子回路基板７０を操作する。回路基板７０は、多数のプログラムでプログラムされて、振動モータが動作する電圧、強度、振幅及び時間を制御する。そのようなプログラムの例は下にある。回路基板７０の背面は、描写されていないが、配線ポート４１から振動モータの正負の入力までをたどる電子回路のための配線接続を備える。くぎ８１、８２はフロントコントロールパネルケース４０を背面コントロールパネルケース５０に搭載するために用いられる。図７は、背面コントロールパネルケース５０によりコントロールパネル１５内に入れられて包まれる再充電可能な電池８５を更に描写する。再充電可能な電池８５は業界で使われているもののいずれでも良く、リチウム硫黄、ナトリウムイオン、薄膜リチウム、亜鉛臭素、亜鉛セリウム、バナジウムレドックス、ナトリウム硫黄、溶融塩、銀亜鉛、量子電池、又は、他のいずれかの適切な再充電可能な電池を含んでも良く、しかしながら、これらには限定されない。
【００５４】
コントロールパネルは電圧及び時間のいろいろなバリエーションでプログラムされて、ユーザの健康ニーズに応じていろいろな多様な選択肢をユーザに提供しても良い。プログラムは、どのような時間長の回転モータで開始しても良いが、最良の結果は少なくとも１０分の使用によって見られた。モータは、一日中又は一晩中それを着用するユーザのために脈動し、又は、変動する期間の横隔膜への断続的な刺激を提供する。コントロールパネル上で選択可能なプログラムの例は次の通りである。
【表４】
2019518530.tif 000006
【表５】
2019518530.tif 000007
【表６】
2019518530.tif 000008
【表７】
2019518530.tif 000009
【表８】
2019518530.tif 000010
【表９】
2019518530.tif 000011
【表１０】
2019518530.tif 000012
【表１１】
2019518530.tif 000013
【００５５】
本発明の有効性及び健康上の利点を示す臨床結果が得られた。１つの試みでは６８人のＣＯＰＤ級の患者が検査された。これらの患者は、本発明に係る装置を１日３回、２０分、１０日間用いた。結果は次の通りである。
１．  ６２人の患者がその呼吸数を１分当たり１８呼吸から１４呼吸へと減らした。
２．  ６２人の患者がその血液ｐ０２を平均９２％から平均９７％へと改善した。
３．  ５８人の患者がその呼吸をより気持ち良いと説明した。
１８人の患者が本発明に係る装置で２週間治療を受けた。それらの患者のうち、１４人は息切れなしに歩けるようになり、１１人は２週間の治療経過の後、薬物療法の必要性が減少した。
【００５６】
睡眠時無呼吸に苦しむ３人の患者の小規模な研究は、患者が呼吸を止めたときに、本発明に係る装置の（ほんの数秒間の）作動が患者に直ちに呼吸を開始させることを示すことができた。睡眠時無呼吸の患者はその後いかなる混乱もなしに睡眠を続けることができた。
【００５７】
本発明に係る装置で治療された年老いた患者において、脚部領域、腹部領域及び胸部での筋肉の緊張が緩まることと、よりリラックスしたゆっくりの呼吸リズムとが明らかに観察された。このことは、患者により心地良く感じることを可能にし、また、身体の動きを可能にする。
【００５８】
本発明の他の応用には、肺がん、肺手術、嚢胞性繊維症、注意欠陥多動症候群（ＡＤＨＳ：attention deficit hyperkinetic syndrome）、心臓インターベンション、梗塞、肺炎、筋萎縮性側索硬化症（ＡＬＳ：amyotrophic lateral sclerosis）で苦しむ患者が含まれても良い。肥満体の人々は、細気管支を削減し、肺容量を制限し、呼吸数を増加して、より少ない酸素の摂取につながる、肺の周りのより大きな脂肪組織のために、限られた肺容量を有しているかもしれないので、本発明から更に利益を得るかもしれない。更に、本発明に係る装置で治療された不眠症の人々は、著しく長く、より質の良い睡眠を報告し、次の日に元気を回復したように感じたと報告する。
【００５９】
更に他の研究では、１０人のＣＯＰＤの患者が本発明に係る装置で１５分間治療された。ベルトを１回使用した後で、１０人全ての患者の肺容量は次のチャートで示されるように著しく増加した。
【表１２】
2019518530.tif 000014
【００６０】
本発明に係るベルトを使用した他の患者は、ヘビースモーカーであることを自己申告し、ベルトを使用する前に絶え間ない咳とゼイゼイと息を切らすこととを有していた。その患者は、１５分間ベルトを１回使用した後に、咳とゼイゼイと息を切らすこととが３日間停止したことを報告した。
【００６１】
本発明に係る装置は、特定の生体機能の観測にも用いられてもよい。生体機能の表示は適切なインターフェイスを介して統合されることができる。実施の形態に係る装置は情報の交換を支援する少なくとも１つのインターフェイスを有する。情報は物理的単位（例えば、電圧、電流強度）又は論理的変数（データ）の形態で存在することができ、一方で交換はアナログ又はデジタルであることができる。インターフェイスには、データインターフェイス（一般的なデータ伝達のためのインターフェイス）、一般的なインターフェイス、マシンインターフェイス（物理的システム間のインターフェイス）、ハードウェアインターフェイス（コンピュータ技術の物理的システム間のインターフェイス）、ネットワークインターフェイス（ネットワーク構成要素間のインターフェイス）、ソフトウェアインターフェイス（プログラム間のインターフェイス）及び／又はユーザインターフェイス（人とマシンとの間のインターフェイス）が含まれる。好ましいインターフェイスには、無線又は赤外線インターフェイス、又は、有線インターフェイス（例えば、ＵＳＢ）が含まれる。インターフェイスを用いることにより、安全で早い接続が達成でき、情報が交換される。更に、生体機能を観測し、装置の安全で効率的な操作の確認を可能とするために、装置はほかの装置と接続されても良い。更に、情報（例えば、データ）は記録媒体に保存され、又は、ネットワーク系の伝達又は長距離データ伝達を介してコンピュータ系のシステム、送信機から受信機へと伝達されることが好ましいかもしれない。伝達媒体は好ましくは電話ネットワーク、無線又は光であって、それらにより早くて安全な情報の移動が可能である。有利には、装置自体は、使用期間及び選択された回転速度のようなデータを記録できるメモリを有している。装置は、データを外部の記録媒体に移動させても良い。データは有利には応用方法の分析のために利用されることができ、それにより応用方法の最適化が可能となる。
【００６２】
図８（ａ）は、本体ケース６及び背面ケース２６がないときの振動パッド１２（１４、１６）の背面斜視図を示す。図８（ｂ）は、図８（ａ）の振動パッド１２の側断面図を示す。振動パッドはスポンジのような減衰機能を組み込んで、振動モータを本体ケース６から分離する。振動パッド１２はモータ２０を収容するように設計され、槽（trough）のように設計された、曲線的な端部を有する矩形の外周を有している。振動パッド１２／２４の両側には、平坦な横延長部が、振動パッド１２／２４をストラップ１、ケース６及び背面ケース２６（図２を対比して欲しい）に搭載するために提供される。この目的のために、延長部は、振動モジュール５、７、９が組み立てられたときに、しっかりと組み合わすための背面ケース２６の延長部と本体ケース６の搭載手段とに補完的に設計された２つのスリット９１と（図８（ａ）に部分的に示される）孔とを備える。
【００６３】
振動パッド１２／２４の槽の内面には、２つのつまみ８７が、スリット９１の１つとおおよそ平行に延在する両側に設けられる。つまみ８７は、モータ容器２２と振動パッド１２／２４とをしっかりと組み合わすために設けられる。この組み合わせのために、モータ容器２２はその両側の低い端側面に、つまみ８７を通したときのスナップ式の接続のための、つまみ８７と補完的なスリットを備える。更に、いくつかの実施の形態において、この接続を改善するために搭載領域上に、例えば、シリコン接着剤のような適切な接着剤も加えられても良い。モータ容器２２は更にモータ２０を受けて保持するためにモータ２０と補完的な「ｕ」字のような形状に設計されても良い。モータ２０がモータ容器２２を介して振動パッド１２／２４に搭載されたときに、フライホイール２８がケース６及び背面ケース２６の内部でケース６及び背面ケース２６と接触することなしに自由に動けるように（図８（ｂ）を対比してほしい）、モータ２０は振動パッド１２／２４の内面と離れている。更に、モータ２０は、配線（図示せず）を介してコントロールパネル１５と電気的に接続するために、モータ２０の端部からフライホイール２８にまで延在する２つの接続部９５を備える。振動パッド１２は、弾性モータ容器２２内部でのモータ２０の弾性支持及び搭載により、プラスチックケースよりももっと集中した効率的な方法で振動効果を伝達するような、有益な特徴を提供する。ケース６及び背面ケース２６に対してモータ２０及びフライホイール２８を弾性的に支持することは生成された振動のほとんどをユーザに向けることを可能にし、それにより刺激装置の有効性を増加させる。
【００６４】
本開示の好ましい実施の形態が特定の特徴との関連で図示され、説明されたけれども、振動治療及び呼吸療法の当業者にとって、本発明及びその変形例が、いろいろな原因により呼吸抑制に苦しむ個人のいろいろな治療に用いるために適応できることは明らかであろう。本開示のいろいろな特徴が図示された実施の形態との関連で特に示され、説明された。しかしながら、特定の実施の形態は単に示すだけであって、本発明は特許請求の範囲の用語の範囲内で最も完全にその解釈が与えられることが理解されるべきである。
【図１】
2019518530.tif 000015
【図２】
2019518530.tif 000016
【図３】
2019518530.tif 000017
【図４】
2019518530.tif 000018
【図５】
2019518530.tif 000019
【図６】
2019518530.tif 000020
【図７】
2019518530.tif 000021
【図８】
2019518530.tif 000022
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
少なくとも２つの振動モジュール（５、７、９）を含むベルト（１０）であって、少なくとも２つの前記振動モジュール（５、７、９）のそれぞれが、ケース（６、２６）を有するポッド（４）、前記ケース（６、２６）内に配置された振動パッド（２４）及び前記ケース（６、２６）内に配置されたフライホイール（２８）を有する振動モータ（２０）を有するベルト（１０）と、
少なくとも２つの前記振動モジュール（５、７、９）の前記振動モータ（２０）を操作するコントロールパネル（１５）と
を備え、
前記振動モータ（２０）は少なくとも１つの弾性モータ容器（２２）を介して前記振動パッド（２４）に搭載される、
刺激装置。
【請求項２】
前記振動モータ（２０）のそれぞれは、前記モータ容器（２２）を介して前記振動パッド（２４）から離して配置される、
請求項１記載の刺激装置。
【請求項３】
前記モータ容器（２２）は、スナップ式の接続を介して前記振動パッド（２４）に搭載される、
請求項１又は請求項２記載の刺激装置。
【請求項４】
前記モータ容器（２２）は、前記振動モータ（２０）を保持して支持するために、前記振動モータ（２０）と補完的となるような方法で少なくとも部分的に設計されている、
請求項１乃至請求項３のいずれか１項記載の刺激装置。
【請求項５】
前記ベルト（１０）は、少なくとも１つのベルト締め付けアタッチメント（２、３）を有するストラップ（１）を備える、
請求項１乃至請求項４のいずれか１項記載の刺激装置。
【請求項６】
前記ケース（６、２６）は本体ケース（６）と背面ケース（２６）とを備え、前記振動パッド（２４）は前記背面ケース（２６）内に配置され、前記本体ケース（６）にはフロントパネル（２１）が配置されている、
請求項１乃至請求項５のいずれか１項記載の刺激装置。
【請求項７】
前記本体ケース（６）、及び／又は、前記背面ケース（２６）はストラップ（１）と前記ストラップ（１）を介して組み合わされ、前記背面ケース（２６）又は前記本体ケース（６）の他方と組み合わされるための少なくとも１つのアタッチメント手段を備える、
請求項６記載の刺激装置。
【請求項８】
前記コントロールパネル（１５）は、前記振動モータ（２０）を約０．３Ｇ〜１．０Ｇの強度及び電圧０．６〜１．３Ｖを補完する１６〜４５Ｈｚの範囲の周波数で操作する、
請求項１乃至請求項７のいずれか１項記載の刺激装置。
【請求項９】
前記コントロールパネル（１５）は、前記振動モータ（２０）を２０Ｈｚ（０．８Ｖ）の周波数のときの約０．３Ｇの強度から３７Ｈｚ（１．０Ｖ）の周波数のときの約０．６２Ｇの強度で操作する、
請求項８記載の刺激装置。
【請求項１０】
前記ベルト（１０）は柔軟であって、及び／又は、着用者の体格に合わせて調整可能である、
請求項１乃至請求項９のいずれか１項記載の刺激装置。
【請求項１１】
前記フライホイール（２８）の少なくとも１つは、直径約１２ｍｍで厚さ８ｍｍの寸法を示す、
請求項１乃至請求項１０のいずれか１項記載の刺激装置。
【請求項１２】
前記フライホイールの少なくとも１つは、７〜８グラムの重さを有し、及び／又は、前記モータ（２０）の端部から１〜５ｍｍ離れている、
請求項１乃至請求項１１のいずれか１項記載の刺激装置。
【請求項１３】
生体機能を表示し観測するディスプレイを更に備え、生体機能の表示はインターフェイスを介して統合され、及び／又は、前記インターフェイスは外部装置との情報交換を支援する、
請求項１乃至請求項１２のいずれか１項記載の刺激装置。
【請求項１４】
呼吸低下及び呼吸抑制を治療するための
請求項１乃至請求項１３のいずれか１項記載の装置の使用方法。
【請求項１５】
ストレスを削減するための
請求項１乃至請求項１３のいずれか１項記載の装置の使用方法。
【請求項１６】
請求項１乃至請求項１３のいずれか１項記載の装置の前記ベルト（１０）をユーザの腹部に締め、前記ベルト（１０）を操作することにより呼吸低下及び呼吸抑制を治療する方法であって、
少なくとも２つの前記振動モジュールがユーザの腹部に外側から当てられて、横隔膜を刺激し、肺の機能を増強する、
方法。
【国際調査報告】
2019518530.tif 000023
2019518530.tif 000024
2019518530.tif 000025
2019518530.tif 000026